(57)【要約】【課題】オートカットモードを備える用紙加工装置において、用紙加工装置全体を小型化するとともに、用紙のマージン部を、短い幅で細かく裁断する処理を行う頻度を必要最小限に留め、必要以上の処理時間を要することのない用紙加工装置の提供を目的とする。【解決手段】本発明における用紙加工装置においては、通常モードとして設定登録される各種加工ジョブに関する制御方法以外に、「オートカットモード」と、その設定内容を見直す為の「レイアウト見直しモード」２つの制御モードを備える。【選択図】図１
2020026006.tif 000002
【特許請求の範囲】
【請求項１】
用紙を１枚ずつ搬送する搬送手段と、用紙搬送経路に沿って配置され、用紙を裁断する裁断手段と、裁断情報に基づいて用紙を裁断するように、前記搬送手段及び前記裁断手段の動作を制御する制御手段とを備え、
前記裁断手段は、用紙をその搬送方向に対して直角方向に裁断する直角方向裁断手段を有し、
前記直角方向裁断手段は、裁断刃を有しており、 前記制御手段は、前記裁断刃が所定位置で用紙を裁断するべくタイミング制御できるようになっており、
前記制御手段は、前記裁断情報に基づくカット位置と用紙の全長から、用紙の搬送方向前後のマージン部の搬送方向寸法を算出し、算出した前記マージン部の搬送方向寸法（Ａ）と、マージン部の落下空間の搬送方向寸法（Ｘ）とを比較して、Ａ≦Ｘとなるよう、前記搬送手段及び前記直角方向裁断手段の動作を制御して、前記マージン部を搬送方向に対して直角方向に分割裁断するオートカットモードを実行し、又、前記制御手段は、前記オートカットモードの実行前において、前記裁断情報に基づき裁断する一枚の用紙中に、前記オートカットモードの実行対象となる搬送方向寸法を有するマージン部がある場合には、前記オートカットモードにおける分割裁断する回数を減らすように、前記裁断情報における前記成果物の寸法をそのままにした状態で、前記成果物を除いた各マージン部の搬送方向寸法の振分けを全体的に見直すレイアウト見直しモードを実行する、ことを特徴とする用紙加工装置。
【請求項２】
前記レイアウト見直しモードは、操作者に、前記成果物を除いた各マージン部の搬送方向寸法の振分けを見直すように報知することを特徴とする請求項１記載の用紙加工装置。
【請求項３】
前記レイアウト見直しモードは、前記成果物の寸法をそのままにした状態で、各マージン部の搬送方向寸法がＡ≦Ｘとなるように、前記成果物を除いた各マージン部の搬送方向寸法の振分けを自動的に見直す、ことを特徴とする請求項１記載の用紙加工装置。
【請求項４】
レイアウト見直しモード実行後のレイアウトにおいて、裁断する一枚の用紙中の各マージン部がすべてＡ≦Ｘを満たす場合は、前記分割裁断を一切行わない、ことを特徴とする請求項３記載の用紙加工装置。
【請求項５】
前記レイアウト見直しモードは、裁断する用紙全体において、オートカットモードにおける個々のマージン部について分割裁断する回数の総和を減らすように、前記成果物を除いた各マージン部の搬送方向寸法の振分けを自動的に見直す、ことを特徴とする請求項１記載の用紙加工装置。
【請求項６】
前記レイアウト見直しモードは、各マージン部の搬送方向寸法がＡ≦Ｘとなるような所定値にするとともに、成果物の寸法をそのままにした状態で、成果物全体を搬送方向下流側にシフトさせるように自動的にレイアウト見直しを行う、ことを特徴とする請求項１記載の用紙加工装置。
【請求項７】
最後方マージン部の搬送方向寸法が用紙搬送方向における上流側ローラ対と下流側ローラ対との間でのローラ間距離より大きい場合は、裁断せずにそのまま成果物と同じ排出経路より排出させる、ことを特徴とする請求項６記載の用紙加工装置。
【請求項８】
レイアウト見直しを行う場合は、制御手段は、表示手段上にレイアウト見直し後のプレビューを表示して、操作者に見直し後のレイアウトについて、実行の承諾を求めるように制御する、ことを特徴とする請求項１乃至請求項７記載の用紙加工装置。
【請求項９】
レイアウト見直しモードの実行の有無について操作者が任意に設定可能である、ことを特徴とする請求項１乃至請求項８記載の用紙加工装置。
【請求項１０】
用紙を１枚ずつ搬送する搬送手段と、用紙搬送経路に沿って配置され、用紙を裁断する裁断手段と、裁断情報に基づいて用紙を裁断するように、前記搬送手段及び前記裁断手段の動作を制御する制御手段とを備え、前記裁断手段により前記用紙を所望の成果物としての裁断片に裁断する用紙加工装置の制御方法において、
前記裁断情報に基づくカット位置と用紙の全長から、用紙の搬送方向前後のマージン部の搬送方向寸法を算出し、前記算出した前記マージン部の搬送方向寸法（Ａ）と、マージン部の落下空間の搬送方向寸法（Ｘ）とを比較して、前記落下空間のスペースに合わせてＡ≦Ｘとなるよう、前記搬送手段及び前記裁断手段の動作を制御して、前記マージン部を搬送方向に対して直角方向に分割裁断するオートカットモードを実行し、
又、前記オートカットモードの実行前において、前記裁断情報に基づき裁断する一枚の用紙中に、前記オートカットモードの実行対象となる搬送方向寸法を有するマージン部がある場合には、前記オートカットモードにおける分割裁断する回数を減らすように、前記裁断情報における前記成果物の寸法をそのままにした状態で、前記成果物を除いた各マージン部の搬送方向寸法の振分けを全体的に見直すレイアウト見直しモードを実行する、ことを特徴とする用紙加工装置の制御方法。
【請求項１１】
用紙に画像を形成する画像形成装置をさらに備え、前記画像形成装置によって前記成果物の画像が形成された用紙を、前記請求項１０に記載される用紙加工装置により、前記成果物を基準とした裁断片に裁断する印刷処理システムにおいて、
前記レイアウト見直しモードは、少なくとも、前記画像形成装置によって前記成果物の画像が用紙に形成される前に実行される、ことを特徴とする印刷処理システムの制御方法。
【請求項１２】
前記画像形成装置の加工工程を制御する一次制御手段及び、次工程の用紙加工装置の加工工程を制御する二次制御手段を有する、請求項１１に記載の印刷処理システムにおいて、  前記レイアウト見直しモードは、前記一次制御手段が制御する画像形成装置の加工工程よりも上流工程にて実行される、ことを特徴とする印刷処理システムの制御方法。
【発明の詳細な説明】
【技術分野】
【０００１】
この発明は、用紙搬送方向と直交する方向に用紙を裁断する裁断加工部を少なくとも有する用紙加工装置に関する。
【背景技術】
【０００２】
用紙加工装置では、用紙を搬送する２組のローラ対と、当該２組のローラ対の間に配置された裁断刃とを備える裁断加工部によって、用紙における余白部であるマージン部を用紙搬送方向と直交する方向に分割して裁断することが行われている（例えば、特許文献１を参照）。
【０００３】
特許文献１は、用紙搬送方向と直交する方向に用紙のマージン部を裁断する際に発生する用紙後端側のマージン部（いわゆる後端ドブ）や用紙前端側のマージン部（いわゆる先端ドブ）を、短い幅で細かく裁断する（分割裁断する）ことを開示する。
【先行技術文献】
【特許文献】
【０００４】
【特許文献１】特開２００１−２３２７００号公報
【発明の概要】
【発明が解決しようとする課題】
【０００５】
上記構成によれば、上流側及び下流側のローラ対と裁断刃との間は、それぞれ、裁断されたマージン部の裁断屑が落下するための落下スペースを構成しており、前記落下スペースに合わせてマージン部の搬送方向寸法が所定以下になるように、マージン部を分割して裁断することができる。したがって、マージン部の搬送方向寸法にかかわらず、小さな落下スペースでマージン部を除去することができ、用紙加工装置全体を小型化することができる。同時に、裁断後に残る用紙の搬送方向寸法の下限を小さくすることもできるので、装置の汎用性を高めることが可能である。
【０００６】
しかし、上記構成によれば、マージン部を、短い幅で細かく裁断するには、必要以上の加工時間を要することになる。特に、裁断時に用紙を停止しながら裁断する場合は、顕著である。
【０００７】
本発明は上述した課題を解決するものであり、用紙加工装置全体を小型化するとともに、
用紙のマージン部を、短い幅で細かく裁断する処理を行う頻度を必要最小限に留め、必要以上の処理時間を要することのない用紙加工装置の提供を目的とする。
【課題を解決するための手段】
【０００８】
上記課題を解決するために、請求項１に記載の発明は、用紙を１枚ずつ搬送する搬送手段と、用紙搬送経路に沿って配置され、用紙を裁断する裁断手段と、裁断情報に基づいて用紙を裁断するように、前記搬送手段及び前記裁断手段の動作を制御する制御手段とを備え、前記裁断手段は、用紙をその搬送方向に対して直角方向に裁断する直角方向裁断手段を有し、前記直角方向裁断手段は、裁断刃を有しており、 前記制御手段は、前記裁断刃が所定位置で用紙を裁断するべくタイミング制御できるようになっており、前記制御手段は、前記裁断情報に基づくカット位置と用紙の全長から、用紙の搬送方向前後のマージン部の搬送方向寸法を算出し、算出した前記マージン部の搬送方向寸法（Ａ）と、マージン部の落下空間の搬送方向寸法（Ｘ）とを比較して、前記落下空間のスペースに合わせてＡ≦Ｘとなるよう、前記搬送手段及び前記直角方向裁断手段の動作を制御して、前記マージン部を搬送方向に対して直角方向に分割裁断するオートカットモードを実行し、又、前記制御手段は、前記オートカットモードの実行前において、前記裁断情報に基づき裁断する一枚の用紙中に、前記オートカットモードの実行対象となる搬送方向寸法を有するマージン部がある場合には、前記オートカットモードにおける分割裁断する回数を減らすように、前記裁断情報における前記成果物の寸法をそのままにした状態で、前記成果物を除いた各マージン部の搬送方向寸法の振分けを全体的に見直した上で前記分割裁断を行うレイアウト見直しモードを実行する、ことを特徴とするものである。
【０００９】
また、請求項２記載の発明は、請求項１記載の用紙加工装置において、前記レイアウト見直しモードは、操作者に、前記成果物を除いた各マージン部の搬送方向寸法の振分けを見直すように報知する、ことを特徴とするものである。
【００１０】
また、請求項３記載の発明は、請求項１に記載の用紙加工装置において、前記レイアウト見直しモードは、前記成果物の寸法をそのままにした状態で、各マージン部の搬送方向寸法がＡ≦Ｘとなるように、前記成果物を除いた各マージン部の搬送方向寸法の振分けを自動的に見直す、ことを特徴とするものである。
【００１１】
また、請求項４記載の発明は、請求項３に記載の用紙加工装置において、レイアウト見直しモード実行後のレイアウトにおいて、裁断する一枚の用紙中の各マージン部がすべてＡ≦Ｘを満たす場合は、前記分割裁断を一切行わない、ことを特徴とするものである。
【００１２】
また、請求項５記載の発明は、請求項１に記載の用紙加工装置において、前記レイアウト見直しモードは、裁断する用紙全体において、オートカットモードにおける個々のマージン部について分割裁断する回数の総和を減らすように、前記成果物を除いた各マージン部の搬送方向寸法の振分けを自動的に見直す、ことを特徴とするものである。
【００１３】
また、請求項６記載の発明は、請求項１に記載の用紙加工装置において、前記レイアウト見直しモードは、各マージン部の搬送方向寸法がＡ≦Ｘとなるような所定値にするとともに、成果物の寸法をそのままにした状態で、成果物全体を搬送方向下流側にシフトさせるように自動的にレイアウト見直しを行う、ことを特徴とするものである。
【００１４】
また、請求項７記載の発明は、請求項６記載の用紙加工装置において、最後方マージン部の搬送方向寸法が用紙搬送方向における上流側ローラ対と下流側ローラ対との間でのローラ間距離より大きい場合は、裁断せずにそのまま成果物と同じ排出経路より排出させる
、ことを特徴とするものである。
【００１５】
また、請求項８記載の発明は、請求項１乃至請求項７に記載の用紙加工装置において、
レイアウト見直しを行う場合は、制御手段は、表示手段上にレイアウト見直し後のプレビューを表示して、操作者に見直し後のレイアウトについて、実行の承諾を求めるように制御する、ことを特徴とするものである。
【００１６】
また、請求項９記載の発明は、請求項１乃至請求項８に記載の用紙加工装置において、
レイアウト見直しモードの実行の有無について操作者が任意に設定可能である、ことを特徴とする、ことを特徴とするものである。
【００１７】
また、請求項１０記載の発明は、用紙を１枚ずつ搬送する搬送手段と、用紙搬送経路に沿って配置され、用紙を裁断する裁断手段と、裁断情報に基づいて用紙を裁断するように、前記搬送手段及び前記裁断手段の動作を制御する制御手段とを備え、前記裁断手段により前記用紙を所望の成果物としての裁断片に裁断する用紙加工装置の制御方法において、
前記裁断情報に基づくカット位置と用紙の全長から、用紙の搬送方向前後のマージン部の搬送方向寸法を算出し、前記算出した前記マージン部の搬送方向寸法（Ａ）と、マージン部の落下空間の搬送方向寸法（Ｘ）とを比較して、前記落下空間のスペースに合わせてＡ≦Ｘとなるよう、前記搬送手段及び前記裁断手段の動作を制御して、前記マージン部を搬送方向に対して直角方向に分割裁断するオートカットモードを実行し、
又、前記オートカットモードの実行前において、前記裁断情報に基づき裁断する一枚の用紙中に、前記オートカットモードの実行対象となる搬送方向寸法を有するマージン部がある場合には、前記オートカットモードにおける分割裁断する回数を減らすように、前記裁断情報における前記成果物の寸法をそのままにした状態で、前記成果物を除いた各マージン部の搬送方向寸法の振分けを全体的に見直すレイアウト見直しモードを実行する、ことを特徴とするものである。
【００１８】
また、請求項１１記載の発明は、用紙に画像を形成する画像形成装置をさらに備え、前記画像形成装置によって前記成果物の画像が形成された用紙を、請求項１０に記載される用紙加工装置により、前記成果物を基準とした裁断片に裁断する印刷処理システムにおいて、前記レイアウト見直しモードは、少なくとも、前記画像形成装置によって前記成果物の画像が用紙に形成される前に実行される、ことを特徴とするものである。
【００１９】
また、請求項１２記載の発明は、前記画像形成装置の加工工程を制御する一次制御手段及び、次工程の用紙加工装置の加工工程を制御する二次制御手段を有する、請求項１１に記載の印刷処理システムにおいて、前記レイアウト見直しモードは、前記一次制御手段が制御する画像形成装置の加工工程よりも上流工程にて実行される、ことを特徴とするものである。
【発明の効果】
【００２０】
請求項１記載の発明によれば、落下スペースに合わせて搬送方向寸法が所定以下になるように、マージン部を分割して裁断することができる。したがって、マージン部の搬送方向寸法にかかわらず、小さな落下スペースでマージン部を除去することができ、用紙加工装置全体を小型化することができる。同時に、裁断後に残る用紙の搬送方向寸法の下限を小さくすることもできるので、装置の汎用性を高めることが可能である。
さらに、オートカットモードの実行対象となる搬送方向寸法を有するマージン部がある場合には、オートカットモードにおける分割裁断する回数を減らすように、裁断情報における成果物の寸法をそのままにした状態で、成果物を除いた各マージン部の搬送方向寸法の振分けを全体的に見直した上で分割裁断を行うレイアウト見直しモードを実行する為、用紙加工装置全体を小型化できるとともに、用紙のマージン部を、短い幅で分割裁断する回数を必要最小限に留める為、必要以上の処理時間を要しない。
【００２１】
請求項２記載の発明によれば、レイアウト見直しモードは、操作者に、成果物を除いた各マージン部の搬送方向寸法の振分けを見直すように報知することができる為、操作者は、分割裁断を実行するマージン部のレイアウトを再度見直す機会が与えられ、再設定の内容によっては、処理時間を短縮できる。
【００２２】
請求項３記載の発明によれば、レイアウト見直しモードは、前記成果物の寸法をそのままにした状態で、各マージン部の搬送方向寸法がＡ≦Ｘとなるように、前記成果物を除いた各マージン部の搬送方向寸法の振分けを自動的に見直すことができる為、用紙加工装置全体を小型化するとともに、用紙のマージン部を、分割裁断する回数を必要最小限に留め、必要以上の処理時間を要することがないようにすることができる。
【００２３】
請求項４記載の発明によれば、レイアウト見直しモード実行後のレイアウトにおいて、裁断する一枚の用紙中の各マージン部がすべてＡ≦Ｘを満たす場合は、前記分割裁断を一切行わないことにより、処理時間を短縮することができる。
【００２４】
請求項５記載の発明によれば、レイアウト見直しモードは、裁断する用紙全体において、オートカットモードにおける個々のマージン部について分割裁断する回数の総和を減らすように、成果物を除いた各マージン部の搬送方向寸法の振分けを自動的に見直す為、処理時間をさらに効率的に短縮することができる。
【００２５】
請求項６記載の発明によれば、レイアウト見直しモードは、各マージン部の搬送方向寸法がＡ≦Ｘとなるような所定値にするとともに、成果物の寸法をそのままにした状態で、成果物全体を搬送方向下流側にシフトさせるように自動的にレイアウト見直しを行う為、処理の内容が操作者に分かり易い。
【００２６】
請求項７記載の発明によれば、最後方マージン部の搬送方向寸法が用紙搬送方向における上流側ローラ対と下流側ローラ対との間でのローラ間距離より大きい場合は、裁断せずにそのまま成果物と同じ排出経路より排出させる為、処理時間をさらに効率的に短縮することができる。
【００２７】
請求項８記載の発明によれば、レイアウト見直しを行う場合は、制御手段は、表示手段上にレイアウト見直し後のプレビューを表示して、操作者に見直し後のレイアウトについて、実行の承諾を求めるように制御する為、処理の内容が操作者に分かり易い。又、操作者がプレビュー確認後、処理を取消すことができる。
【００２８】
請求項９記載の発明によれば、レイアウト見直しモードの実行の有無について操作者が任意に設定可能である為、処理時間を急がない場合等により、レイアウト見直しモードの実行が不要な場合は、実行させないことができる。
【００２９】
請求項１０記載の発明によれば、用紙加工装置全体を小型化できるとともに、用紙のマージン部を、短い幅で分割裁断する回数を必要最小限に留める為、必要以上の処理時間を要しない。
【００３０】
請求項１１記載の発明によれば、画像形成装置及び、用紙加工装置を備えた印刷処理システムにおいて、レイアウト見直しモードは、少なくとも、前記画像形成装置によって前記成果物の画像が用紙に形成される前に実行される為、成果物の画像を基準とした裁断が、適切に行われる。
【００３１】
請求項１２記載の発明によれば、画像形成装置の加工工程を制御する一次制御手段及び、次工程の用紙加工装置の加工工程を制御する二次制御手段を有する印刷処理システムにおいて、前記レイアウト見直しモードは、前記一次制御手段が制御する画像形成装置の加工工程よりも上流工程にて実行される為、成果物の画像を基準とした裁断が、適切に行われる。
【図面の簡単な説明】
【００３２】
【図１】この発明の一実施形態に係る用紙加工装置の全体構成を模式的に示す縦断面図である。
【図２】図１に示した用紙加工装置の電気的構成を示すブロック図である。
【図３】用紙搬送方向と直交する左右方向に用紙を裁断する裁断加工部を説明する模式図である。
【図４Ａ】裁断する一枚の用紙中の成果物のレイアウトを模式的に示す説明図である。
【図４Ｂ】裁断する一枚の用紙中の成果物のレイアウトを模式的に示す説明図である。
【図５Ａ】裁断する一枚の用紙中の成果物のレイアウトを模式的に示す説明図である。
【図５Ｂ】裁断する一枚の用紙中の成果物のレイアウトを模式的に示す説明図である。
【図６】用紙の裁断の説明図である。
【図７】加工ジョブの登録動作を説明するフローチャートである。
【図８】裁断条件の登録動作を説明するフローチャートである。
【図９】図８に示したフローチャートにおける裁断条件の決定ジョブを説明するフローチャートである。
【図１０】図９に示したフローチャートにおける裁断条件の見直しモードの第１例を説明するフローチャートである。
【図１１】図９に示したフローチャートにおける裁断条件の見直しモードの第２例を説明するフローチャートである。
【図１２】図９に示したフローチャートにおける裁断条件の見直しモードの第３例を説明するフローチャートである。
【図１３】図９に示したフローチャートにおける裁断条件の見直しモードの第４例を説明するフローチャートである。
【図１４】オートカットモードの動作を説明するフローチャートである。
【図１５】この発明の他の実施形態に係る印刷処理システムの全体構成を模式的に示す縦断面図である。
【発明を実施するための形態】
【００３３】
以下、図面を参照しながら用紙加工装置１について説明するが、説明の都合上、用紙搬送方向Ｔの下流側を、「前方」又は単に「下流側」と呼んでいる。用紙搬送方向Ｔの上流側を、「後方」又は単に「上流側」と呼んでいる。また、用紙搬送経路１０を挟んだ上下を、「上側」又は「下側」と呼んでいる。また、用紙幅方向（用紙搬送方向Ｔと直交する水平方向）を「左右方向」と呼び、後方から見た状態で「右方」と「左方」を規定している。
【００３４】
（用紙加工装置の全体構成）
図１は、この発明の一実施形態に係る用紙加工装置１の全体構成を模式的に説明する縦断面図である。この用紙加工装置１は、積載された多数枚の用紙１００（用紙束Ｑ）から用紙１００を１枚ずつ用紙搬送方向Ｔに送り出す給紙装置７と、給紙装置７から送り出された用紙１００を搬送しながら加工する装置本体２と、排紙トレイ１９と、を備えている。給紙装置７から排紙トレイ１９に至る経路においては、複数個のローラ対４と、上流側ローラ対５ａ及び下流側ローラ対５ｂと、からなる搬送手段によって、用紙搬送経路１０が形成されている。用紙搬送経路１０の途中に設けられた用紙検出センサによって、搬送中の用紙１００の位置が適宜に検出される。
【００３５】
給紙装置７は、給紙ユニット３と、吸着搬送機構８と、斜行搬送機構９と、を備えている。給紙ユニット３は、多数枚の用紙１００が積載されるとともに昇降可能に構成された給紙台３０を備えている。給紙台３０は、給紙台昇降モータを駆動源とする昇降装置を用いて電動で昇降する。給紙台３０の上限位置及び下限位置は、それぞれ上限リミッタスイッチ及び下限リミッタスイッチによって検出されていて、当該リミッタスイッチは万が一のための安全装置として機能する。
【００３６】
用紙搬送経路１０上には、裁断手段として、給紙装置７の側から順に（すなわち、上流側から下流側に向けて）、少なくとも、第１加工ユニット２０、第２加工ユニット２１、及び、直角方向裁断手段として、用紙搬送方向Ｔと直交する左右方向に用紙１００を裁断する裁断刃３４が設けられている。第１加工ユニット２０、第２加工ユニット２１、及び裁断刃３４は、それぞれ、装置本体２に対して着脱自在なユニットとして設けられたり、装置本体２に対して固設されたりすることができる。それらがユニットとして用いる場合には、いずれの設置場所にも着脱自在であるように、外観上同じ寸法や形状を有するように構成される。また、第１加工ユニット２０、第２加工ユニット２１、及び裁断刃３４には、駆動手段（図示せず）が連結されている。
【００３７】
なお、第１加工ユニット２０及び第２加工ユニット２１は、２つの加工ユニットだけを意味するのでなく、２つ以上の加工ユニットを含む広い概念として規定される。加工ユニットとして、縦裁断用ユニット、横裁断用ユニット、縦折り型用ユニット、横折り型用ユニット、丸め加工用ユニット又はミシン目加工用ユニット等を例示することができる。加工用途に応じて、これらの各種加工ユニットの中から必要とされる加工ユニットが選択され、選択された加工ユニットが装置本体２内での適宜の位置に組み込まれる。更に、用紙加工装置１は、用紙１００の裁断によって発生する裁断屑を回収するためのゴミ箱１１を装置本体２内の底部に有している。
【００３８】
（用紙加工装置の電気的構成）
図２は、用紙加工装置１の電気的構成を示すブロック図である。用紙加工装置１は、用紙加工装置１の各種動作を制御する制御手段としての制御部（ＣＰＵ：中央演算処理装置）６を装置本体２に備えている。ＲＯＭ（リードオンリーメモリ）、ＲＡＭ（ランダムアクセスメモリ）、ＥＥＰＲＯＭ（電気的に消去書き込み可能なメモリ）、操作パネルのスイッチ類、メインモータ等のモータ、及び各種センサが、Ｉ／Ｏポートを介して、制御部６に接続されている。制御部６は、用紙加工装置１の全体の動作を制御するとともに、用紙１００の搬送位置を制御したり、第１加工ユニット２０，第２加工ユニット２１や裁断加工部５での各種構成要素を制御したりする。操作パネルを用いて、各種加工ジョブに関する情報が設定登録されたり、エラー情報が報知されたりする。情報の報知というのは、操作パネルにおける表示面での表示やスピーカーによる音声告知を意味している。操作パネルには、一連の用紙加工動作を開始するためのスタートボタンが設けられている。
【００３９】
（裁断加工部５の構成）
図３に示すように、裁断加工部５は、用紙搬送方向Ｔと直交する左右方向に用紙を裁断する裁断刃３４と、裁断刃３４に対して上流側に配置された上流側ローラ対５ａと、裁断刃３４に対して下流側に配置された下流側ローラ対５ｂと、を備える。裁断刃３４は、用紙搬送経路１０に対して上方に配置された可動刃と、用紙搬送経路１０に対して下方に配置された固定刃と、から構成されている。可動刃及び固定刃は、それぞれ、用紙搬送方向Ｔと直交する左右方向に延びている。可動刃は、動力伝達機構を介して可動刃駆動モータ等の駆動源に連結されている。可動刃は、略水平方向に対して、刃先部から刃元部に行くに従って低くなるように傾斜しており、可動刃駆動モータ等の駆動力により、傾斜状態を保ちながら上下方向に平行移動する。可動刃が下降することによって、用紙搬送方向に隣り合う成果物同士の境界部分や、用紙搬送方向に隣り合う成果物の間にあるマージン部、あるいは、最前方成果物の前方にある最前方マージン部や最後方成果物の後方にある最後方マージン部のような各種マージン部（いわゆるドブ）を裁断する。可動刃が所定の裁断位置に達しているか否かについては、可動刃下限検出センサによって検出される。
【００４０】
上流側ローラ対５ａは、用紙搬送経路１０の下方に配置された上流側の駆動ローラと、用紙搬送経路１０の上方に配置されるとともに上流側の駆動ローラに対して従動する上流側の従動ローラと、によって構成される。上流側の従動ローラは、従動ローラ用スプリングによって、上流側の駆動ローラの外周に圧接され、上流側の駆動ローラと上流側の従動ローラとの間で上流側ニップ点５ｃを形成している。同様に、下流側ローラ対５ｂは、用紙搬送経路１０の下方に配置された下流側の駆動ローラと、用紙搬送経路１０の上方に配置されるとともに下流側の駆動ローラに対して従動する下流側の従動ローラと、によって構成される。下流側の従動ローラは、従動ローラ用スプリングによって、下流側の駆動ローラの外周に圧接され、下流側の駆動ローラと下流側の従動ローラとの間で下流側ニップ点５ｄを形成している。
【００４１】
図３において、用紙搬送経路１０に沿って搬送される用紙１００は、上流側ローラ対５ａの上流側ニップ点５ｃと下流側ローラ対５ｂの下流側ニップ点５ｄとの間でニップされる。
【００４２】
本発明における用紙加工装置１においては、通常モードとして設定登録される各種加工ジョブに関する制御方法以外に、以下に示す「オートカットモード」と、その設定内容を見直す為の「レイアウト見直しモード」２つの制御モードを備える。
【００４３】
（オートカットモードの概要）
オートカットモードとは、図６に示すように、用紙１００における成果物１４の前後のマージン部１５ｃ，１５ｄが広いときには、前後のマージン部１５ｃ，１５ｄは、複数部分１５ｃｃ，１５ｄｄに分割し、所定以下の狭い幅で細かく裁断する。図３に示すように、用紙先端側の裁断片は、裁断刃３４の上刃３４ａおよび下刃３４ｂと下流側搬送ローラ５ｂの間から矢印８２で示すように落下し、落下スペースの下に配置した回収箱１１に回収される。同様に、用紙後端側の裁断片は、裁断刃３４の上刃３４ａおよび下刃３４ｂと上流側搬送ローラ５ａの間から矢印８０で示すように落下し、落下スペースの下に配置した回収箱１１に回収される。搬送方向前後のマージン部１５ｃ，１５ｄを分割して裁断するかどうかは、用紙１００の全長Ｌとカット位置のデータに基づき算出したマージン部１５ｃ，１５ｄの搬送方向の寸法Ａ１，Ａ２と、裁断片の落下空間７１，７３の搬送方向Ｆの寸法Ｘ、Ｘとの大小を比較して、Ａ１≦Ｘ、Ａ２≦Ｘとなるように、自動的に、所定以下の狭い幅で細かく裁断する。例えば、裁断片の落下空間の搬送方向の寸法Ｘ＝１５ｍｍのとき、分割裁断する寸法＝１０〜１５ｍｍ単位で裁断するように制御する。
【００４４】
本実施例においては、裁断片の落下空間７１と落下空間７３の搬送方向Ｆの寸法とは同じ寸法Ｘとしたが、それぞれ、異なる寸法Ｘ１、Ｘ２としてもよい。この場合、Ｘ１、Ｘ２の内、短い方の寸法を上記ＸとしてＡ１，Ａ２と比較するように構成すればよい。
【００４５】
尚、マージン部１５ａ、１５ｂについては、例えば、前述の縦裁断用ユニットを２個用いて、用紙１００をその搬送方向に同時に裁断するように構成することにより処理可能である。
【００４６】
（レイアウト見直しモード）
レイアウト見直しモードとは、裁断条件やクリース条件やスリット条件やオプション（面取りの形成やミシン目の形成）の加工条件等の裁断情報に基づき裁断する一枚の用紙中に、算出した前記マージン部の搬送方向寸法（Ａ）＞マージン部の落下空間の搬送方向寸法（Ｘ）となる、前記オートカットモードの実行対象となる搬送方向寸法を有するマージン部がある場合には、前記オートカットモードにおける分割裁断する回数を減らすように、前記裁断情報における前記成果物の寸法をそのままにした状態で、前記成果物を除いた各マージン部の搬送方向寸法の振分けを全体的に見直すモードのことであり、見直した後に、オートカットモードの実行対象がまだ残っているときは、その部分について前記分割裁断（オートカットモード）を実行する。
【００４７】
前記構成によれば、用紙のマージン部を、短い幅で分割裁断する回数を必要最小限に留める為、必要以上の処理時間を要しない。
【００４８】
尚、前記オートカットモード及び、レイアウト「見直しモード」の具体的な実施例については、後述する。
【００４９】
（用紙加工装置１の基本動作）
次に、図１を参照しながら、用紙加工装置１の基本動作について説明する。
【００５０】
図１の用紙加工装置１において、操作パネルを用いて、各種加工ジョブに関する個々の裁断情報に基づき、裁断条件が設定登録される。なお、この手動による設定登録の代わり、あるいは、手動による設定登録と協働して、ＣＣＤセンサによるバーコード等の読み取りにより、各種加工ジョブに関する情報を自動的に設定登録されてもよい。
【００５１】
操作者により、操作パネル上のスタートボタンが押されると、一連の用紙加工動作が開始され、図１の給紙ユニット３の給紙台３０上に積載された複数の用紙１００が、給紙装置７によって、上から一枚ずつ用紙搬送経路１０に供給される。
【００５２】
第１加工ユニット２０や第２加工ユニット２１では、用紙搬送方向Ｔと平行な複数のスリット線やミシン目や折り目が用紙１００に形成されたり、用紙搬送方向Ｔと直交する左右方向に延びるミシン目や折り目が用紙１００に形成されたりする。
【００５３】
裁断加工部５では、上流側ローラ対５ａにより、用紙１００が裁断刃３４に向けて搬送されて、上流側ローラ対５ａ及び下流側ローラ対５ｂの少なくとも一方で用紙１００がニップされた状態で、用紙１００が下流側から順に所定の裁断位置で用紙搬送方向Ｔと直交する左右方向に裁断される。裁断加工部５では、裁断によって得られた成果物（印刷部分）が、下流側ローラ対５ｂによって下流側に搬送されて排紙トレイ１９で回収される一方、裁断されたマージン部や細断片が、下方のゴミ箱１１に排出される。
【００５４】
次に、図７及び図８を参照しながら、用紙加工装置１における加工ジョブ（裁断条件）に関する登録手順について説明する。
【００５５】
図７において、制御部６は、用紙搬送方向Ｔにおける用紙１００のサイズＰを、ＲＡＭに一時的に登録する（ステップＳ１０）。次に、制御部６は、裁断情報に基づく裁断条件やクリース条件やスリット条件やオプション（面取りの形成やミシン目の形成）の加工条件等を、ＲＡＭに一時的に登録する（ステップＳ１２）。図８に示すように、裁断条件の登録ジョブでは、裁断条件が入力され（ステップＳ２０）、制御部６は、裁断条件を決定し（ステップＳ２２）、裁断条件の登録ジョブを終了する。
【００５６】
なお、入力される裁断条件としては、例えば、用紙の全幅、全長、特性（厚さ、硬さ等）、マージン部の寸法、主印刷部が印刷され裁断後に残す領域の縦横の分割数等の個々の裁断情報の組合せである。
【００５７】
上記構成によれば、裁断情報入力手段を有し、裁断情報を入力することにより、用紙に応じて所望の寸法に裁断することができる。また、プレビュー表示にて裁断状態を見ながら、適宜、裁断条件を修正することも可能である。
【００５８】
別の構成としては、好ましくは、用紙をどのように裁断するかについて用紙に印刷された裁断条件表示を読み取る裁断条件表示読み取り手段を備える。上記制御手段は、該裁断条件表示読み取り手段により読み取られた上記裁断条件に基づいて、上記搬送手段及び上記裁断手段の動作を制御する。
【００５９】
用紙に印刷する裁断条件表示は、例えば、バーコード、記号の並び等で構成することができる。裁断条件表示読み取り手段には、例えば、裁断条件表示を撮像する撮像センサや、裁断条件表示の明暗、色、位置、大きさなどを判別する光学センサのほか、磁気成分を含むインクを用いて印刷されている場合には磁気を検出する磁気センサなどを用いることができる。
【００６０】
上記構成によれば、用紙に予め印刷された裁断条件表示に基づいて用紙を裁断することができ、裁断情報を入力する手間が省ける。
【００６１】
次に、図６、図９及び図１０を参照しながら、図８のステップＳ２２における裁断条件の決定ジョブについて詳細に説明する。
【００６２】
まず、制御部６は、マージン部１５ｃの搬送方向の寸法Ａ（Ａ１）及び、マージン部１５ｄの搬送方向の寸法Ａ（Ａ２）が、裁断片の落下空間の搬送方向Ｆの寸法Ｘ以下であるか否かを判断する（ステップＳ３０）。マージン部１５ｃの搬送方向の寸法Ａ（Ａ１）及び、マージン部１５ｄの搬送方向の寸法Ａ（Ａ２）の双方が、裁断片の落下空間の搬送方向Ｆの寸法Ｘ以下であるならば、制御部６は、成果物１４の裁断条件を決定する。
マージン部１５ｃの搬送方向の寸法Ａ（Ａ１）又は、マージン部１５ｄの搬送方向の寸法Ａ（Ａ２）の内、少なくとも一方が、裁断片の落下空間の搬送方向Ｆの寸法Ｘよりも大きいならば、ステップＳ３２において、「見直しモード」を実行し、制御部６は、成果物１４の裁断条件を決定する。
【００６３】
（レイアウト「見直しモード１」）
図９において、「見直しモード」の実行が選択された場合（ステップＳ３２）における具体的な実施例の一つとして、「見直しモード１」について説明する。
【００６４】
図６及び図１０において、例えば、マージン部１５ｃの搬送方向の寸法Ａ（Ａ１）が、裁断片の落下空間の搬送方向Ｆの寸法Ｘよりも大きい場合は、マージン部１５ｃの搬送方向の寸法Ａ（Ａ１）が、裁断片の落下空間の搬送方向Ｆの寸法Ｘよりも大きい状態である為、成果物を除いた各マージン部（１５ｃ、１５ｄ）の搬送方向寸法Ａ（Ａ１、Ａ２）の振分けを見直すように操作者に報知する（ステップＳ４０）。
【００６５】
前記構成によれば、操作者は、マニュアル入力による再設定により、分割裁断を実行するマージン部のレイアウトを再度見直す機会が与えられ、再設定の内容によっては、オートカットモードの処理時間分を短縮できる。尚、報知に際しては、操作パネル上に警告表示してもよいし、ブザー等の警告音を発するように構成してもよい。
【００６６】
成果物を除いた各マージン部の搬送方向寸法の振分けを見直すとは、オートカットモードにおける分割裁断する回数を減らすように、前記裁断情報における前記成果物の寸法をそのままにした状態で、前記成果物を除いた各マージン部の搬送方向寸法の振分けを全体的に見直すことをいう。
【００６７】
詳細には、図６において、例えば、見直し前のレイアウトとして、成果物１４が用紙の搬送方向の一方に寄っている場合であって、Ａ１≦Ｘ、Ａ２＞Ｘとなる場合は、マージン部１５ｄについてのみオートカットモードを実行することになる。マージン部１５ｄに対するオートカットモードの処理時間分だけ裁断加工に要する処理時間が増えることになる。
しかし、見直し後のレイアウトとして、例えば、成果物１４が用紙の搬送方向の中央に配置されている場合であって、Ａ１≦Ｘ、Ａ２≦Ｘとなる場合は、マージン部１５ｃ、１５ｄともにオートカットモードとして分割裁断は一切行わない。前記構成によれば、裁断加工に要する処理時間は、最短時間で済む。
【００６８】
ステップＳ４２において、「レイアウトを見直す？」かどうかの問いかけに対して、操作者がレイアウトを見直さない場合は、レイアウト「見直しモード１」を終了し、成果物１４の裁断条件を決定する。
【００６９】
ステップＳ４２において、レイアウトを見直す場合は、ステップＳ４４において、操作者ができる限り、Ａ１≦Ｘ、Ａ２≦Ｘとなるようなレイアウトで裁断条件を再入力し、レイアウト「見直しモード１」を終了する。
【００７０】
（レイアウト「見直しモード２」）
図９において、「見直しモード」の実行が選択された場合（ステップＳ３２）における具体的な他の実施例として、「見直しモード２」について説明する。
【００７１】
図４Ａ及び図１１において、例えば、マージン部１８ｂの搬送方向の寸法Ａ（Ａ２）が、裁断片の落下空間の搬送方向Ｆの寸法Ｘよりも大きい場合は、マージン部１８ｂの搬送方向の寸法Ａ（Ａ２）が、裁断片の落下空間の搬送方向Ｆの寸法Ｘ以下となるように、各マージン部（１８ａ、１８ｂ、１８ｃ）の搬送方向寸法Ａ（Ａ１、Ａ２、Ａ３）の振分けを自動的に見直す。前記構成によれば、用紙加工装置全体を小型化するとともに、用紙のマージン部を、分割裁断する回数を必要最小限に留め、必要以上の処理時間を要することがないようにすることができる。
【００７２】
成果物を除いた各マージン部の搬送方向寸法の振分けを見直すとは、オートカットモードにおける分割裁断する回数を減らすように、前記裁断情報における前記成果物（１６、１７）の寸法をそのままにした状態で、前記成果物を除いた各マージン部の搬送方向寸法の振分けを全体的に見直すことをいう。
【００７３】
詳細には、図４Ａにおいて、例えば、見直し前のレイアウトとして、成果物１６、１７がそれぞれ用紙の両端部に寄っている場合であって、Ａ１≦Ｘ、Ａ２＞Ｘ、Ａ３≦Ｘとなる場合は、制御部６は、各マージン部１８ａ、１８ｂ、１８ｃの搬送方向の寸法Ａ（Ａ１、Ａ２、Ａ３）が、できる限り、すべて、裁断片の落下空間の搬送方向Ｆの寸法Ｘ以下となるように、自動的に各マージン部のレイアウトを見直す（ステップＳ５０）。例えば、図４Ｂにおいて、マージン部の搬送方向の寸法Ａ１´＝Ａ２´＝Ａ３´＝１／３×（Ａ１＋Ａ２＋Ａ３）となるように振り分ける（ステップＳ５２）。
【００７４】
制御部６は、見直したデータ（Ａ１´、Ａ２´、Ａ３´）を裁断条件として自動的に再入力し、「見直しモード２」を終了する。
【００７５】
尚、見直し後のレイアウトとして、Ａ１´≦Ｘ、Ａ２´≦Ｘ、Ａ３´≦Ｘとなる場合は、マージン部１８ａ、１８ｂ、１８ｃともにオートカットモードとして分割裁断は一切行わない。したがって、処理時間を短縮することができる。
【００７６】
（レイアウト「見直しモード３」）
図９において、「見直しモード」の実行が選択された場合（ステップＳ３２）における具体的な他の実施例として、「見直しモード３」について説明する。
【００７７】
図４Ａ及び図１２において、例えば、マージン部１８ｂの搬送方向の寸法Ａ（Ａ２）が、裁断片の落下空間の搬送方向Ｆの寸法Ｘよりも大きい場合は、マージン部１８ｂの搬送方向の寸法Ａ（Ａ２）が、裁断片の落下空間の搬送方向Ｆの寸法Ｘ以下となるように、各マージン部（１８ａ、１８ｂ、１８ｃ）の搬送方向寸法Ａ（Ａ１、Ａ２、Ａ３）の振分けを自動的に見直す。
【００７８】
成果物を除いた各マージン部の搬送方向寸法の振分けを見直すとは、オートカットモードにおける分割裁断する回数を減らすように、前記裁断情報における前記成果物（１６、１７）の寸法をそのままにした状態で、前記成果物を除いた各マージン部の搬送方向寸法の振分けを全体的に見直すことをいう。
【００７９】
詳細には、図４Ａにおいて、例えば、見直し前のレイアウトとして、成果物１６、１７がそれぞれ用紙の両端部に寄っている場合であって、Ａ１≦Ｘ、Ａ２＞Ｘ、Ａ３≦Ｘとなる場合は、
制御部６は、各マージン部１８ａ、１８ｂ、１８ｃの搬送方向の寸法Ａ（Ａ１、Ａ２、Ａ３）が、できる限り、すべて、裁断片の落下空間の搬送方向Ｆの寸法Ｘ以下となるように、分割裁断する回数の総和を減らすように自動的に各マージン部（１８ａ、１８ｂ、１８ｃ）のレイアウトを見直す（ステップＳ６０）。例えば、見直し前の各マージン部の分割裁断する回数が、Ａ１＝１回、Ａ２＝３回、Ａ３＝０回（総和４回）の場合と比較して、見直し後の分割裁断する回数がＡ１´＝１回、Ａ２´＝１回、Ａ３´＝１回（総和３回）と減るように各マージン部（１８ａ、１８ｂ、１８ｃ）のレイアウトを見直す。前記構成によれば、処理時間をさらに効率的に短縮することができる。
【００８０】
図４Ｂにおいて、制御部６は、見直したデータ（Ａ１´、Ａ２´、Ａ３´）を裁断条件として自動的に再入力し（ステップＳ６０）、「見直しモード３」を終了する。
（レイアウト「見直しモード４」）
図９において、「見直しモード」の実行が選択された場合（ステップＳ３２）における具体的な他の実施例として、「見直しモード４」について説明する。
【００８１】
図５Ａ及び図１３において、例えば、制御部６は、マージン部２８ｂの搬送方向の寸法Ａ（Ａ２）が、裁断片の落下空間の搬送方向Ｆの寸法Ｘよりも大きい場合は、各マージン部（２８ａ、２８ｂ、２８ｃ、２８ｄ）の搬送方向寸法Ａ（Ａ１、Ａ２、Ａ３、Ａ４）をそれぞれ、Ａ≦Ｘとなるような所定値に設定するとともに、成果物（２５、２６、２７）の寸法をそのままにした状態で、成果物全体を搬送方向下流側にシフトさせるように自動的にレイアウト見直しを行う（ステップＳ７０）。前記構成によれば、処理の内容が操作者に分かり易い。
【００８２】
例えば、図５Ａにおいて、裁断片の落下空間の搬送方向の寸法Ｘ＝１５ｍｍのとき、各マージン部（２８ａ、２８ｂ、２８ｃ、２８ｄ）の搬送方向寸法Ａ（Ａ１、Ａ２、Ａ３、Ａ４）をそれぞれ、所定値＝１０ｍｍに見直す。
【００８３】
図５Ｂにおいて、制御部６は、見直した搬送方向寸法Ａ１´＝Ａ２´＝Ａ３´＝Ａ４´＝１０ｍｍを裁断条件として自動的に再入力し（ステップＳ７２）、「見直しモード４」を終了する。尚、最後方マージン部２９の処理については、最後方マージン部２９の搬送方向寸法（Ａ５）が用紙搬送方向における上流側ローラ対と下流側ローラ対との間でのローラ間距離（Ｘ＋Ｘ＝２Ｘ）より大きい場合は、裁断せずにそのまま成果物（２５、２６、２７）と同じ排出経路より排出させるように構成してもよい。前記構成によれば、処理時間をさらに効率的に短縮することができる。又は、操作者が事前又は事後に、別途、裁断具を用いて裁断してもよい。
【００８４】
（オートカットモードの制御）
上述の図１０乃至図１３に示すレイアウト「見直しモード」を実行した後、次に、図１４（ステップＳ８０）において各マージン部の内、少なくとも一つのマージン部がＡ＞Ｘとなる場合（マージン部がすべてＡ≦Ｘとならない場合）は、Ａ＞Ｘとなるマージン部についてのみオートカットモード（分割裁断）を実行する（ステップＳ８２）。
【００８５】
ステップＳ８０において、マージン部がすべてＡ≦Ｘとなる場合は、オートカットモードを終了する。
【００８６】
（その他の実施形態）
（１）レイアウト見直しを行う場合は、制御手段は、表示手段としての操作パネル上の液晶画面上に、レイアウト見直し後のプレビューを表示して、操作者に見直し後のレイアウトについて、実行の承諾を求めるように構成してもよい。前記構成によれば、処理の内容が操作者に分かり易い。又、操作者がプレビュー確認後、処理を取消すこともできる。
【００８７】
又、レイアウト見直しモードの実行の有無について操作者が任意に設定可能に構成してもよい。前記構成によれば、処理時間を急がない場合等の理由により、レイアウト見直しモードの実行が不要な場合は、実行させないことができる。
【００８８】
（２）図１５は、この発明の他の実施形態に係る印刷処理システムの全体構成を模式的に説明する縦断面図である。この印刷処理システムは、上述の用紙加工装置１の構成（図１参照）に加えて、画像を形成する画像形成装置３１を備える構成となっている。
画像形成装置３１とは、例えば、複写機、プリンタ、ファクシミリ等のことである。
【００８９】
画像形成装置３１によって成果物の画像が形成された用紙１００は、排紙ローラ対３３により、その下流に位置する中間搬送装置３７上の排紙ベルト３２に向けて排出され、その後、用紙加工装置１に受け渡される。受け渡された用紙１００は、用紙加工装置１により、成果物を基準とした裁断片に裁断されるシステム構成となっている。尚、用紙加工装置１の構成については、上述した通りである為、ここでは説明を省略する。
【００９０】
又、画像形成装置３１から排出される用紙１００を用紙加工装置１に受け渡す際は、
中間搬送装置３７を介して受け渡しすることなく、両装置間で直接用紙１００を受け渡すように構成してもよい。
【００９１】
好ましくは、印刷処理システムにおいては、レイアウト見直しモードは、少なくとも、前記画像形成装置によって成果物の画像が用紙に形成される前に実行されるのがよい。これにより、成果物の画像を基準とした裁断が、適切に行われる。画像形成装置によって成果物の画像が用紙に形成される後に、レイアウト見直しモード実行された場合は、成果物の画像形成位置と裁断位置が合わないことが起こり得る為である。
【００９２】
印刷処理システムにおいては、画像形成装置の加工工程を制御する一次制御手段及び、次工程の用紙加工装置の加工工程を制御する二次制御手段を備えており、レイアウト見直しモードは、前記一次制御手段が制御する画像形成装置の加工工程よりも上流工程にて実行されることが好ましい。これにより、成果物の画像を基準とした裁断が、適切に行われる。
【００９３】
尚、本発明は、上記実施形態に限定されるものではなく、種々の態様で実施可能である。
【符号の説明】
【００９４】
１  用紙加工装置
２  装置本体
３  用紙
５  ローラ対
６  制御部
７  給紙装置
８  吸着搬送装置
１４  成果物
１５  マージン部
２０  第１加工ユニット
２１  第２加工ユニット
３４  裁断刃
７１  落下空間
７３  落下空間
１００  用紙
【図１】
2020026006.tif 000003
【図２】
2020026006.tif 000004
【図３】
2020026006.tif 000005
【図４Ａ】
2020026006.tif 000006
【図４Ｂ】
2020026006.tif 000007
【図５Ａ】
2020026006.tif 000008
【図５Ｂ】
2020026006.tif 000009
【図６】
2020026006.tif 000010
【図７】
2020026006.tif 000011
【図８】
2020026006.tif 000012
【図９】
2020026006.tif 000013
【図１０】
2020026006.tif 000014
【図１１】
2020026006.tif 000015
【図１２】
2020026006.tif 000016
【図１３】
2020026006.tif 000017
【図１４】
2020026006.tif 000018
【図１５】
2020026006.tif 000019